(57)【特許請求の範囲】
【請求項１】
ステアリングコラム用の盗難防止装置（１）であって、
キーブレードを受容可能な収容部を有するロータ（３）、及び、前記ロータ（３）をその回転軸（４）周りに回転可能で、軸方向に不動となるように収容するステータ（５）を備えるロック装置（２）と、
前記ロータ（３）によって回転軸（６）を中心に回転駆動されるカム（７）と、
前記カム（７）により駆動されて、ステアリングコラムのブロック位置及びステアリングコラムのブロック解除位置をとる長尺な差し錠（８）と、
前記キーブレードが前記収容部内にあるときに前記差し錠（８）をブロック解除位置に保持する保持位置と、前記キーブレードが収容部内にないときに前記差し錠（８）から離間する待機位置との間で移動する保持装置（１００）とを備えており、
前記差し錠（８）の長手方向軸（９）と、前記カム（７）の回転軸（６）と、前記ロータ（３）の回転軸（４）とは、同一平面上にあり、且つ、同一直線上にはなく、
前記ロータ（３）の回転軸（４）と前記カム（７）の回転軸（６）とが交差し、その交差点を前記差し錠（８）の長手方向軸（９）が通過する、盗難防止装置（１）。
【請求項２】
前記保持装置（１００）は、前記差し錠（８）をブロック解除位置に制止するよう構成された保持端部（１０１）と、前記キーブレードの存在を検知するよう構成された接触端部（１０２）とを有する、
請求項１に記載の盗難防止装置（１）。
【請求項３】
前記保持装置（１００）は、弾性復帰手段（１０４）に付勢されている、
請求項２に記載の盗難防止装置（１）。
【請求項４】
前記差し錠（８）と前記保持装置の前記保持端部（１０１）とは、前記差し錠（８）が前記ブロック位置から前記ブロック解除位置へ切り換わる間、互いに接触している、
請求項２又は３に記載の盗難防止装置（１）。
【請求項５】
前記差し錠（８）における前記保持端部（１０１）に対向する端部（１０５）は、傾斜部（１１０）を有し、前記差し錠（８）が前記ブロック位置から前記ブロック解除位置へ切り換わる間、前記保持端部（１０１）が前記傾斜部（１１０）に当接する、
請求項２〜４のいずれか１つに記載の盗難防止装置（１）。
【請求項６】
前記差し錠（８）における前記保持端部（１０１）に対向する端部（１０５）は、前記保持端部（１０１）を受容可能な空隙（１０６）を有する、
請求項２〜５のいずれか１つに記載の盗難防止装置（１）。
【請求項７】
前記接触端部（１０２）は、前記保持装置（１００）が前記待機位置にあるときに、ロック装置（２）の空隙（１２０）に入り込むように構成されたフック形状を有する、
請求項２〜６のいずれか１つに記載の盗難防止装置（１）。
【請求項８】
前記接触端部（１０２）は、ロック装置（２）の空隙（１２０）内で待機位置をとる、
請求項７に記載の盗難防止装置（１）。
【請求項９】
前記ロック装置（２）は、前記収容部内における前記キーブレードの存在を検知するとともに前記接触端部（１０２）と協働して前記保持位置及び待機位置にある保持装置（１００）を駆動する中間検知装置（１２１）を有する、
請求項２〜６のいずれか１つに記載の盗難防止装置（１）。
【請求項１０】
前記中間検知装置（１２１）の少なくとも一部が、前記ロック装置（２）の空隙（１２０）に受容される、
請求項９に記載の盗難防止装置（１）。
【請求項１１】
ステアリングコラムと、請求項１〜１０のいずれか１つに記載の盗難防止装置（１）とを備える自動車。
【発明の詳細な説明】
【技術分野】
【０００１】
本出願は、特に自動車のステアリングコラム用盗難防止装置及びそれを備えた自動車に関する。
【背景技術】
【０００２】
通常、自動車には、ロータとステータとを備えるロック装置形式の始動制御装置が備えられている。このロック装置は、例えば、キーブレードのような駆動手段によってロータを回転させることにより、自動車を始動させる。
【０００３】
ロータは、ステータ内において複数の角度位置に可動であり、これら角度位置においてステアリングコラムが差し錠によって、ブロックされるかブロック解除される。
【０００４】
この目的のために、ロック装置は、ステータとロータとの間に配置されたカムを構成する回転部材に連結され、これにより、カムをロータによって回転駆動することができる。したがって、カムが差し錠の動きを制御する。この差し錠は、ブロック位置及びブロック解除位置の２つの位置をとることができる。ブロック位置においては、差し錠がステアリングコラムの収容部に受容されて、ステアリングコラムの一切の動きがブロックされる。ブロック解除位置においては、差し錠がステアリングコラムから離間されて、ステアリングコラムの任意の動きが可能である。
【０００５】
ユーザが、キーに第１の回転をさせて、ステアリングコラムのロックを解除すると、キーが完全に又は部分的に盗難防止装置から意図的に抜かれない限り、差し錠がブロック解除位置に保持されることが規定により要求される。
【０００６】
レバーによるフッキングシステムを使用することが知られている。このシステムにおいては、レバーによって制御されるスライド板によって、規定に要求されるように、差し錠がステアリングコラムのブロック解除位置に確実に保持される。このレバーは、差し錠を保持するか、逆に、差し錠とは非係合となるスライド板の並進運動を可能とするロータと協働する。
【発明の概要】
【発明が解決しようとする課題】
【０００７】
しかし、このようなフッキングシステムでは、レバーとスライド板と差し錠との間の連結が脆弱である。
【０００８】
したがって、ブロック解除位置で差し錠が強固に保持され、実施が簡単且つ効率的な、特に自動車のステアリングコラム用の盗難防止装置の供給が必要とされている。
【０００９】
このような盗難防止装置は、ロータとカムシャフトの回転軸が一致し、且つ、差し錠の並進軸がカムシャフトに平行又は垂直である場合に、特に適合する。しかしながら、自動車メーカーが、自動車メーカー側のニーズと製品の制約によって、概ね「Ｙ」字型の盗難防止装置を開発又は必要とするようになる可能性がある。つまり、ロータの回転軸とカムシャフトの回転軸が交差し、差し錠の並進軸がこの交点を通過し、これら要素のそれぞれが、「Ｙ」の各線分を形成する、盗難防止装置である。したがって、カムシャフトの伸張によって、ロータの回転運動を伝導し、差し錠の並進運動に変換する手段を、盗難防止装置のこの「Ｙ」字型に適合させることが重要である。
【課題を解決するための手段】
【００１０】
この目的のために、第１の態様によれば、本発明は、特に自動車のステアリングコラム用盗難防止装置を提供することである。
この盗難防止装置は、ロータを備えるロック装置を備える。ロータは、その長手方向軸に沿って延びる回転軸周りに回転可能であり、ロータに対して固定されたステータに収容され、キーブレードを受容可能な収容部を有する。
この盗難防止装置は、また、ロータによって制御されるよう構成されたカムと、
カムにより駆動されて、ステアリングコラムのブロック位置及びステアリングコラムのブロック解除位置をとる差し錠と、
差し錠の保持装置であって、キーブレードが前記収容部内にあるときに差し錠をブロック解除位置に保持する保持位置と、前記キーブレードが収容部内にないときに保持装置が差し錠から離間されている待機位置との間で移動することによって、収容部内におけるキーブレードの存在を検知するよう構成された保持装置とを備える。
【００１１】
本発明によれば、単一の部品、すなわちロック装置のロータと直接協働する保持装置によって、差し錠がブロック解除位置で保持される。具体的には、この保持装置は、ロータ内にキーブレードが存在するか否かに応じて、作動又は停止される。
【００１２】
したがって、運動要素の数を減らしたことによって、差し錠がブロック解除位置においてより強固に保持され、また、実施がより簡単となる一方、高い効率性が維持される。
【００１３】
本発明は、以下の特徴を、いずれについても単独で、又は、可能な限りのすべての組み合わせで包含し得る。
保持装置は、差し錠をブロック解除位置で制止するよう構成された保持端部と、キーブレードの存在を検知するよう構成された接触端部とを有し、及び／又は、
ロック装置は、収容部内におけるキーブレードの存在を検知するとともに接触端部と協働して保持位置及び待機位置にある保持装置を駆動する中間検知装置を有し、及び／又は、
中間検知装置は、弾性復帰手段と関連し、及び／又は、
差し錠とブロック装置の保持端部とは、差し錠がブロック位置からブロック解除位置へ切り換わる間、互いに接触し、及び／又は、
差し錠における保持端部に対向する端部は、傾斜部を有し、差し錠がブロック位置から
ブロック解除位置へ切り換わる間、保持端部がこの傾斜部に当接し、及び／又は、
差し錠における保持端部に対向する端部は、保持端部を受容可能な空隙を有し、及び／又は、
接触端部は、待機位置にあるロック装置の空隙に入り込むように構成されたフック形状を有し、この空隙は、キーブレードの収容部に対向しており、及び／又は、
接触端部は、ロック装置の空隙内で待機位置をとり、及び／又は、
中間検知装置の少なくとも一部が、ロック装置の空隙に受容され、及び／又は、
差し錠の長手方向軸、カムの長手方向軸、ロータの長手方向軸は、同一平面上にあり、且つ、同一直線上にはない。
【００１４】
本発明は、また、本発明に係る盗難防止装置を備える自動車に関する。
【００１５】
図面を参照しての以下の非限定的な説明により、本発明がさらに理解されるであろう。
【図面の簡単な説明】
【００１６】
【図１】図１は、本発明に係る盗難防止装置の実施形態を横から見た分解斜視図である。
【図２】図２は、図１に示す実施形態が動作する様子を横から見た透視図である。
【図３】図３は、図１に示す実施形態が動作する様子を横から見た透視図である。
【図４】図４は、図１に示す実施形態が動作する様子を横から見た透視図である。
【図５】図５は、図１に示す実施形態が動作する様子を横から見た透視図である。
【図６】図６は、図１に示す実施形態が動作する様子を横から見た透視図である。
【図７】図７は、図１に示す実施形態が動作する様子を横から見た透視図である。
【図８】図８は、図２の変形例を示し、この変形例では、差し錠と関連する弾性復帰手段が、圧縮ばねである。
【発明を実施するための形態】
【００１７】
図１に示すように、本発明に係る盗難防止装置１は、
ロック装置２を備え、このロック装置２は、
自動車を始動させるよう構成され、略長手方向軸４に沿って延び、この略長手方向軸４に沿って回転可能に取り付けられ、キーブレード（図示せず）を受容可能な収容部（図示せず）を備えるロータ３と、
ロータ３を受容するとともに、ロータ３に対して固定された状態となるよう構成されたステータ５とを備える。
盗難防止装置１は、また、ステアリングコラム（図示せず）をロック解除可能であり、ロータ３によって長手方向軸６に沿って回転駆動可能に構成されたカム７と、
カム７により駆動されて、ステアリングコラムのブロック位置とステアリングコラムのブロック解除位置とをとる、長手方向軸９に沿って延びる差し錠８とを備える。
【００１８】
したがって、ロータ３は、長手方向軸４に沿った概ね細長い形状を有する。ロータ３は、よって、略円筒形を有していてもよい。図示の実施形態によれば、ロータ３は、収容部（図示せず）に続く開口３ａを有する。この収容部は、ユーザが動かすことができるキーブレードのような駆動手段（図示せず）を受容可能である。キーブレードは、典型的には、１つ又は複数の溝を有する。この溝は、この目的のためにロータ３に形成された複数の開口３ｂ内に、ロータの長手方向軸４に沿って長手方向に配置された複数のばね（図示せず）を変位可能である。これらのばねによって、その組み合わせに適合しないキーブレードの導入が防止され、また、ロータ３の回転が防止され得る。
【００１９】
ステータ５は、上記ロータ３を受容可能な、略細長い形状の収容部を含む。ステータ５は、典型的には、ロータ３に対して固定されている。
【００２０】
長手方向軸６に沿って回転可能なカム７は、ロータ３によって回転駆動可能である。図示の実施形態によれば、ピニオン１０のような歯車手段を、カム７とロータ３の端部との間に介在させることができる。ピニオン１０は、典型的には、カムの端部１２に設けられた歯と協働可能な歯１０ａを有する。
【００２１】
回転部材７は、任意の形状のカムであってよく、具体的には、略円筒形のカムであってよい。
【００２２】
差し錠８は、カム７により駆動されて、ステアリングコラムのブロック位置とステアリングコラムのブロック解除位置とをとる。差し錠は、長手方向軸９に沿って延び、差し錠の動きを保護するよう構成されたケーシング１３に設けられた収容部１４内に受容される。
【００２３】
典型的には、差し錠８は、長手方向軸９に沿った並進運動を行って、ステアリングコラムをブロックしたり、ブロック解除したりする。したがって、ステアリングコラムは、差し錠８の端部を受容可能な１つ又は複数の収容部を備え得る。
【００２４】
差し錠８は、弾性復帰手段１０８と関連している。具体的には、弾性復帰手段１０８は、圧縮ばね（図８参照）、又は、渦巻ばねのようなねじりばね（図１〜図７参照）である。弾性復帰手段の一方の端部１０８ｂはステータに締結されており、他方の端部１０８ａは差し錠８に対して締結されている。
【００２５】
ねじりばねの場合は、自由端１０８ａが差し錠のスタッド１０７により押圧される。スタッド１０７とは別のスタッド１５は、カム輪郭部１６と係合する。
【００２６】
圧縮ばねの場合は、自由端１０８ａが、差し錠８の面に直接接触するように構成される。
【００２７】
カム７は、差し錠８におけるカム７に対向する表面に設けられたスタッド１５を介して、差し錠８を駆動する。スタッド１５は、カム７の輪郭部に沿って移動可能である。したがって、ロータ３の収容部に導入された適合するキーブレードの回転によって、ロック装置２がロック解除されると、ユーザによる自動車の車輪の操作を可能とするステアリングコラムが、差し錠８から解放されて可動となる。
【００２８】
図１からわかるように、差し錠８の長手方向軸９と、カム７の長手方向軸６と、ロータ３の長手方向軸４とは、同一平面上にあり、且つ、同一直線上にはない。本実施形態によれば、カム７は非円形のカム輪郭部１６を有し、これにより、ステアリングコラムのブロック位置とブロック解除位置との間で差し錠８が並進運動できる。
【００２９】
本発明の盗難防止装置１は、また、差し錠を保持する保持装置１００を備える。この保持装置１００は、キーブレードが収容部内にあるときに差し錠８をブロック解除位置に保持する保持位置と、キーブレードが収容部内にないときに保持装置が差し錠８から離間されている待機位置との間で移動することによって、収容部内におけるキーブレードの存在を検知するよう構成されている。
【００３０】
保持装置１００は、差し錠８をブロック解除位置に制止するよう構成された保持端部１０１と、キーブレードの存在を検知するよう構成された接触端部１０２とを有する。
【００３１】
保持装置１００は、ロック装置の長手方向軸４に対して略垂直な軸１０９に沿って、回
転可能である。保持装置は、接触端部によって直接的に又は間接的にキーブレードを検知すると、保持装置１００の回転軸を中心に回動し始める。
【００３２】
ロック装置２は、収容部内におけるキーブレードの存在を検知するとともに接触端部１０２と協働して保持位置及び待機位置にある保持装置１００を駆動する中間検知装置１２１を有する。
【００３３】
保持装置１００は、弾性復帰手段１０４と関連している。具体的には、弾性復帰手段１０４は、圧縮ばねである。弾性復帰手段の一方の端部１０４ａは、本発明の盗難防止装置の固定部に締結されており、他方の端部１０４ｂは、保持装置１００に締結されている。
【００３４】
差し錠８と保持装置の保持端部１０１とは、差し錠８がブロック位置からブロック解除位置へ切り換わる間、互いに接触している。
【００３５】
差し錠における保持端部１０１に対向する端部１０５は、傾斜部１１０を有する。差し錠がブロック位置からブロック解除位置へ切り換わる間、保持端部がこの傾斜部１１０に当接する。
【００３６】
差し錠における保持端部１０１に対向する端部１０５は、保持端部１０１を受容可能な空隙１０６を有する。
【００３７】
接触端部１０２は、待機位置においてロック装置の空隙１２０に入り込むように構成されたフック形状を有する。空隙１２０は、キーブレードの収容部に対向している。
【００３８】
接触端部１０２は、ロック装置２の空隙１２０内で、待機位置をとる。
【００３９】
中間検知装置１２１の少なくとも一部が、空隙１２０に受容される。
【００４０】
以下、作用中における動作を詳細に説明する。
【００４１】
図２に示すように、キーブレードは、ロータの収容部に導入されていない。差し錠８は、ステアリングコラムのブロック位置にあり、保持装置１００は差し錠８から離間されている。
【００４２】
図３に示すように、キーブレードが、ロック装置２の収容部に導入される。保持装置１００は、したがって、ロック装置２の空隙を貫通する接触端部１０２によって直接的に、又は、中間検知装置１２１によって、キーの存在を検知する。中間検知装置１２１の一部分が空隙１２０からの突出すると、中間検知装置１２１による検知がなされる。中間検知装置に当接した保持装置１００は回動して、保持端部１０１を差し錠８に近づける。保持端部１０１は、差し錠の輪郭、具体的には、傾斜部１１０と接触する。
【００４３】
図４及び図５に示すように、キーブレードがロータ３内で回転した後、ロータ３が長手方向軸４周りに回転し、ピニオン１０を介してカム７を回転駆動する。すると、スタッド１５がカム輪郭部１６に沿って移動し、差し錠８がブロック解除位置からブロック位置に、長手方向軸９に沿って上昇する。保持装置１００は、空隙１０６に近接するまで、差し錠の輪郭に沿って移動する。
【００４４】
図６に示すように、差し錠８は、そのブロック解除位置における行程の最上位置にあり、保持装置１００は空隙１０６に収容されている。
【００４５】
よって、差し錠８がこの位置に制止される。
【００４６】
図７に示すように、キーブレードが収容部から抜かれ、接触端部１０２がロータ３の空隙の内部に向かって並進する。これにより、保持装置１００がその回転軸周りに回動する。したがって、保持端部１０１が空隙１０６から離れる。差し錠８は解放されて、ブロック位置に戻る。
【図１】
0006666914.tif 000002
【図２】
0006666914.tif 000003
【図３】
0006666914.tif 000004
【図４】
0006666914.tif 000005
【図５】
0006666914.tif 000006
【図６】
0006666914.tif 000007
【図７】
0006666914.tif 000008
【図８】
0006666914.tif 000009